(57)【要約】      （修正有）【課題】従来に比し、更に、装置全体が小型であり、且つ、薄型とされ、罠を仕掛けるための設置作業が容易であり、狭い場所にも、現状を出来るだけ維持した状態で設置することのできる動物用罠を提供する。【解決手段】略矩形状とされる踏み板と、踏み板の長手方向に揺動し得るように支持された対をなす二つのロープ掛けアームとを備えた踏み板組立体２と、踏み板組立体を載置するための載置台３とを有する。両ロープ掛けアームを山形形状に維持した状態にて捕獲用ワイヤーロープ７０の一端に形成された先端わさ部を巻回し、踏み板４を踏むことにより、山形形状に維持されていた両ロープ掛けアームは、踏み板より上方に回動して互いに近接するように移動し、それによって、ワイヤーロープ先端わさ部７２は、ワイヤーロープ張りばね７３により踏み板組立体から上方へと抜け出て絞り込まれる。【選択図】図１
0003165447.tif 000002
【実用新案登録請求の範囲】
【請求項１】
略矩形状とされる踏み板と、前記踏み板の面より上方に位置して前記踏み板に一体に設けられた支持軸により前記踏み板の長手方向に揺動し得るように支持された対をなす二つのロープ掛けアームと、を備え、前記両ロープ掛けアームを互いに離れる方向へと、それぞれ、前記踏み板の長手方向両端側へと揺動させて前記踏み板上へと位置させたとき、前記両ロープ掛けアームは、それぞれ、前記支持軸から前記踏み板の長手方向両端側へと低くなるように山形形状をなすように位置決めされる踏み板組立体と、
前記踏み板組立体を載置するための載置台と、
を有し、
前記両ロープ掛けアームを互いに離れる方向へと揺動させて前記踏み板上へと位置させ、前記両ロープ掛けアームを山形形状に維持した状態にて前記前記両ロープ掛けアームの外周囲を回すようにして前記踏み板組立体の外周囲に、捕獲用ワイヤーロープの一端に形成された先端わさ部を巻回し、ワイヤーロープ張りばねを所定位置まで圧縮して前記先端わさ部に縮径力を付勢し、
前記踏み板組立体は、前記踏み板を踏むことにより、山形形状に維持されていた前記両ロープ掛けアームは、前記踏み板より上方に回動して互いに近接するように移動し、それによって、前記ワイヤーロープ先端わさ部は、前記ワイヤーロープ張りばねにより前記踏み板組立体から上方へと抜け出て絞り込まれる、
ことを特徴とする動物用罠。
【請求項２】
前記載置台は、矩形状をした底板と、前記底板の長手方向両端にて前記底板の上方へと垂直に形成した左、右側板と、前記底板の幅方向両端にて前記底板の上方へと垂直に形成した前、後側板と、を有し、
前記踏み板組立体の長手方向に直交する幅方向の長さは、前記載置台の幅方向両端の前記前、後側板の間の長さより短く、前記踏み板組立体は、前記載置台の幅方向両端の前記前、後側板の間に載置され、
前記踏み板組立体の前記踏み板の長手方向の長さは、前記載置台の長手方向両端の前記左、右側板間の長さより短く、前記両ロープ掛けアームが前記載置台の長手方向両端の前記左、右側板の上に載置されていることを特徴とする請求項１に記載の動物用罠。
【請求項３】
山形形状をなす前記両ロープ掛けアームのなす角度（θ）は、１７０°〜１７８°であることを特徴とする請求項１又は２に記載の動物用罠。
【請求項４】
前記踏み板は、山形形状をなす前記両ロープ掛けアームが更に回転して前記踏み板の面より下方へと移動するのを阻止するための規制部材を有することを特徴とする請求項１〜３のいずれかの項に記載の動物用罠。
【請求項５】
前記各ロープ掛けアームには、前記両ロープ掛けアームの外周囲に巻き付けられた前記ワイヤーロープ先端わさ部が下方へと抜け落ちるのを防止するために、前記各ロープ掛けアームより外方へと突出したフランジが設けられていることを特徴とする請求項１〜４のいずれかの項に記載の動物用罠。
【請求項６】
前記各ロープ掛けアームの前記踏み板の長手方向両端に位置した領域には、前記両ロープ掛けアームの外周囲に巻き付けられた前記ワイヤーロープ先端わさ部が上方へと抜け出るのを防止するために、前記各ロープ掛けアームより外方へと突出した規制板が設けられていることを特徴とする請求項１〜５のいずれかの項に記載の動物用罠。
【請求項７】
少なくとも前記各ロープ掛けアームの前記踏み板の長手方向両端に位置した領域は、前記両ロープ掛けアームの外周囲に巻き付けられた前記ワイヤーロープ先端わさ部が上方又は下方へと抜け出るのを防止するために、前記各ロープ掛けアームより外方へと開口した凹形状に形成されていることを特徴とする請求項１〜４のいずれかの項に記載の動物用罠。
【請求項８】
前記踏み板の底板には、開口部が形成され、この開口部を覆って網部材が取り付けられることを特徴とする請求項１〜７のいずれかの項に記載の動物用罠。
【請求項９】
前記踏み板の底板には、表面が凹凸形状とされた部材が設けられていることを特徴とする請求項１〜７のいずれかの項に記載の動物用罠。
【考案の詳細な説明】
【技術分野】
【０００１】
本考案は、一般に、野生の鹿、猪などの比較的大型の動物を捕獲するための動物用罠に関し、特に、動物を捕獲する際に、罠に入った動物の脚部を確実に捕獲する足括り式の動物用罠に関するものである。
【背景技術】
【０００２】
従来、足括り式の動物用罠としては、例えば、特許文献１に記載する捕獲罠がある。この捕獲罠の概略構成を図１１及び図１２に示す。図１１及び図１２を参照して簡単に説明する。
【０００３】
捕獲罠１００は、バネ１０１により常に開いた状態へと付勢された「く」の字状のアーム本体１０２と、アーム本体１０２のそれぞれの先端に取り付けた捕獲ロープ１０３とを有する。捕獲ロープ１０３は、踏み抜き筒１０４と筒受け１０５の二重容器からなる踏み抜き装置１０６の踏み抜き筒１０４の外周囲に巻き回して配置される。
【０００４】
動物が踏み抜き装置１０６の踏み抜き筒１０４を踏みつけると、その重みで踏み抜き筒１０４が筒受け１０５内へと落下し、それによって、筒受け１０５が捕獲ロープ１０３を押し上げ、踏み抜き筒１０４から外れる。従って、捕獲ロープ１０３は、バネ力によりアーム本体１０２が矢印方向へと開いた状態に移動されることにより、絞り込まれ、踏み抜き筒１０４に入った動物の脚を括り付ける。
【０００５】
しかしながら、従来のこのような足括り式の動物用罠１００は、装置全体の構造が複雑で、しかも大型となっていた。そのために、可搬性が悪く、また、罠を設置するには、装置を土中に埋めるために大きな穴を掘ったり、設置した罠を隠すために、多量の落ち葉などを集めて罠全体にかける必要があった。
【０００６】
一般に、動物用罠は、狭い獣道に仕掛けられるものであり、従来の大型の罠の設置作業には多くの時間と、人手を要した。
【０００７】
また、罠の仕掛けが気取られないように、罠を仕掛けた場所の土或いはその上の落ち葉などの状態は出来るだけ現状を維持したままの方が好ましい。そのためには、穴掘りとか、或いは、付近の環境変動は最小限度とすることが必要であり、従って、動物用罠は、小型でしかも薄型であることが重要である。
【０００８】
そこで、特許文献２に記載する動物用罠が提案されている。この動物用罠の概略構成を図１３（ａ）〜（ｄ）に示す。図１３（ａ）〜（ｄ）を参照して簡単に説明する。
【０００９】
この動物用罠２００は、図１３（ａ）に示すように、二つの踏み板２０１Ａ、２０１Ｂが折り曲げ自在に接続された踏み板組立体２０２と、踏み板組立体２０２を載置するための載置台２０３とを有する。両踏み板２０１Ａ、２０１Ｂを山形に維持した状態にて両踏み板２０１Ａ、２０１Ｂの外周囲に、捕獲用ワイヤーロープ先端わさ部２０４を巻回し、ワイヤーロープ張りばね２０５を所定位置まで圧縮して先端わさ部２０４に縮径力を付勢する。図１３（ｂ）〜（ｄ）に示すように、踏み板組立体２００は、踏み板２０１Ａ、２０１Ｂを踏むことにより、山形形状に維持されていた両踏み板２０１Ａ、２０１Ｂは、逆の凹形状となるように移動し、それによって、ワイヤーロープ先端わさ部２０４は、ワイヤーロープ張りばね２０５により踏み板組立体２００から上方へと抜け出て絞り込まれる。
【先行技術文献】
【特許文献】
【００１０】
【特許文献１】特開２００３−９２９７４号公報
【特許文献２】実用新案登録第３１０１２２５号公報
【考案の概要】
【考案が解決しようとする課題】
【００１１】
特許文献２に記載の動物用罠は、装置全体が小型であり、且つ、薄型とされ、可搬性に優れ、しかも、罠の操作が簡単であるという利点を有している。
【００１２】
しかしながら、更なる改良が希求されている。本考案は、特許文献２に記載の動物用罠を更に改良し発展させたものである。
【００１３】
つまり、本考案の目的は、従来に比し、更に、装置全体が小型であり、且つ、薄型とされ、罠を仕掛けるための設置作業が容易であり、狭い場所にも、現状を出来るだけ維持した状態で設置することのできる動物用罠を提供することである。
【００１４】
本考案の他の目的は、可搬性に優れ、しかも、罠の操作が簡単であり、短時間にて罠設置作業が可能な動物用罠を提供することである。
【課題を解決するための手段】
【００１５】
上記目的は本考案に係る動物用罠にて達成される。要約すれば、本考案は、略矩形状とされる踏み板と、前記踏み板の面より上方に位置して前記踏み板に一体に設けられた支持軸により前記踏み板の長手方向に揺動し得るように支持された対をなす二つのロープ掛けアームと、を備え、前記両ロープ掛けアームを互いに離れる方向へと、それぞれ、前記踏み板の長手方向両端側へと揺動させて前記踏み板上へと位置させたとき、前記両ロープ掛けアームは、それぞれ、前記支持軸から前記踏み板の長手方向両端側へと低くなるように山形形状をなすように位置決めされる踏み板組立体と、
前記踏み板組立体を載置するための載置台と、
を有し、
前記両ロープ掛けアームを互いに離れる方向へと揺動させて前記踏み板上へと位置させ、前記両ロープ掛けアームを山形形状に維持した状態にて前記前記両ロープ掛けアームの外周囲を回すようにして前記踏み板組立体の外周囲に、捕獲用ワイヤーロープの一端に形成された先端わさ部を巻回し、ワイヤーロープ張りばねを所定位置まで圧縮して前記先端わさ部に縮径力を付勢し、
前記踏み板組立体は、前記踏み板を踏むことにより、山形形状に維持されていた前記両ロープ掛けアームは、前記踏み板より上方に回動して互いに近接するように移動し、それによって、前記ワイヤーロープ先端わさ部は、前記ワイヤーロープ張りばねにより前記踏み板組立体から上方へと抜け出て絞り込まれる、
ことを特徴とする動物用罠である。
【００１６】
本発明の一実施態様によると、前記載置台は、矩形状をした底板と、前記底板の長手方向両端にて前記底板の上方へと垂直に形成した左、右側板と、前記底板の幅方向両端にて前記底板の上方へと垂直に形成した前、後側板と、を有し、
前記踏み板組立体の長手方向に直交する幅方向の長さは、前記載置台の幅方向両端の前記前、後側板の間の長さより短く、前記踏み板組立体は、前記載置台の幅方向両端の前記前、後側板の間に載置され、
前記踏み板組立体の前記踏み板の長手方向の長さは、前記載置台の長手方向両端の前記左、右側板間の長さより短く、前記両ロープ掛けアームが前記載置台の長手方向両端の前記左、右側板の上に載置されている。
【００１７】
本発明の他の実施態様によると、山形形状をなす前記両ロープ掛けアームのなす角度（θ）は、１７０°〜１７８°である。
【００１８】
本発明の他の実施態様によると、前記踏み板は、山形形状をなす前記両ロープ掛けアームが更に回転して前記踏み板の面より下方へと移動するのを阻止するための規制部材を有する。
【００１９】
本発明の他の実施態様によると、前記各ロープ掛けアームには、前記両ロープ掛けアームの外周囲に巻き付けられた前記ワイヤーロープ先端わさ部が下方へと抜け落ちるのを防止するために、前記各ロープ掛けアームより外方へと突出したフランジが設けられている。
【００２０】
本発明の他の実施態様によると、前記各ロープ掛けアームの前記踏み板の長手方向両端に位置した領域には、前記両ロープ掛けアームの外周囲に巻き付けられた前記ワイヤーロープ先端わさ部が上方へと抜け出るのを防止するために、前記各ロープ掛けアームより外方へと突出した規制板が設けられている。
【００２１】
本発明の他の実施態様によると、少なくとも前記各ロープ掛けアームの前記踏み板の長手方向両端に位置した領域は、前記両ロープ掛けアームの外周囲に巻き付けられた前記ワイヤーロープ先端わさ部が上方又は下方へと抜け出るのを防止するために、前記各ロープ掛けアームより外方へと開口した凹形状に形成されている。
【００２２】
本発明の他の実施態様によると、前記踏み板の底板には、開口部が形成され、この開口部を覆って網部材が取り付けられる。
【００２３】
本発明の他の実施態様によると、前記踏み板の底板には、表面が凹凸形状とされた部材が設けられている。
【考案の効果】
【００２４】
本考案の動物用罠は、装置全体が小型であり、且つ、薄型とされ、罠を仕掛けるための設置作業が容易であり、狭い場所にも、現状を出来るだけ維持した状態で設置することができる。また、本考案の動物用罠は、可搬性に優れ、しかも、罠の操作が簡単であり、短時間にて罠設置作業が可能である。
【図面の簡単な説明】
【００２５】
【図１】本考案に係る動物用罠の一実施例の概略構成を示す斜視図である。
【図２】載置台に設置する前の踏み板組立体の斜視図である。
【図３】図３（ａ）は図１に示す動物用罠の正面図であり、図３（ｂ）は図１に示す動物用罠の側面図である。
【図４】図１に示す動物用罠の縦断面図である。
【図５】踏み板組立体を設置する前の載置台の斜視図である。
【図６】図１に示す動物用罠の動作を説明する図である。
【図７】本考案に係る動物用罠の他の実施例の概略構成を示す斜視図である。
【図８】図７に示す動物用罠にて載置台に設置する前の踏み板組立体の斜視図である。
【図９】図７に示す動物用罠の縦断面図である。
【図１０】図７に示す動物用罠の動作を説明する図である。
【図１１】従来の動物用罠の一例を示す斜視図である。
【図１２】図１１に示す従来の動物用罠の一例を示す斜視図である。
【図１３】従来の他の例に係る動物用罠の動作を説明する図である。
【考案を実施するための形態】
【００２６】
以下、本考案に係る動物用罠を図面に則して更に詳しく説明する。
【００２７】
実施例１
図１に、本考案に係る動物用罠の一実施例の全体構成を示す。本実施例によると、動物用罠１は、全体形状が矩形状とされる長手方向が幅方向より長くされた踏み板組立体２と、この踏み板組立体２を載せるための踏み板組立体２と同様に全体形状が長手方向が幅方向より長くされた矩形状の箱体とされる載置台３とを有する。
【００２８】
以下の説明では、踏み板組立体２及び載置台３は、寸法がより大きくされた方向（図１にてｘ−ｘ方向）を長手方向と呼び、寸法がより小さくされた、長手方向に直交する方向（図１にてｙ−ｙ方向）を幅方向と呼ぶ。
【００２９】
（踏み板組立体）
踏み板組立体２は、図２をも参照するとより良く理解されるように、概略矩形状とされる踏み板４と、この踏み板４に揺動自在に取り付けられた対をなす二つのロープ掛けアーム５（５Ａ、５Ｂ）とを備えている。踏み板４及びロープ掛けアーム５（５Ａ、５Ｂ）は、軽量化のために、本実施例では、例えば、アルミ材などの軽量金属板材にて作製される。
【００３０】
踏み板４の幅方向の両側部には、上方に垂直に突出した一対の支持板部４１（４１Ａ、４１Ｂ；４１Ａ、４１Ｂ）が設けられる。支持板部４１Ａ、４１Ｂは、踏み板４の長手方向に沿って所定の距離だけ離間して形成されている。本実施例では、支持板部４１は、板金加工により踏み板４の両側部を上方へと折り曲げて基台部４０を形成し、この基台部４０より上方へと一体に突出して作製される。
【００３１】
各ロープ掛けアーム５（５Ａ、５Ｂ）は、本実施例では、金属板を板金加工によりＵ字形状に成形して作製され、互いに平行な脚部５１、５１と、両脚部の一端５１ａを連結した連結部５２とを有している。二つのロープ掛けアーム５Ａ、５Ｂは同じ形状、構造とされる。脚部（５１、５１）の連結部５２とは反対側の端部５１ｂは、踏み板４の支持板部４１（４１Ａ、４１Ｂ）に支持軸５０にて揺動自在に取付けられる。従って、各ロープ掛けアーム５（５Ａ、５Ｂ）は、踏み板４の面より上方に位置した支持軸５０の回りに略１８０度回転することができる。
【００３２】
なお、説明を容易とするために、各ロープ掛けアーム５（５Ａ、５Ｂ）を支持軸５０の回りに互いに離間する方向（図２にて矢印Ａ方向）へと、即ち、踏み板４の長手方向両端側へと揺動することを「外方へと揺動」するといい、逆に対向する方向（図２にて矢印Ｂ方向）へと、即ち、踏み板４の長手方向中心部へと揺動することを「内方へと揺動」する、というものとする。
【００３３】
なお、ロープ掛けアーム５（５Ａ、５Ｂ）は、詳しくは後述するが、脚部５１及び連結部５２の外周囲にはロープ７０の先端わさ部７２が掛け回される。従って、ロープ掛けアーム５（５Ａ、５Ｂ）の外周囲には脚部５１及び連結部５２の全周囲或いは一部には、ロープ先端わさ部７２を一時的に確実に保持し、ロープ先端わさ部７２が不用意にロープ掛けアーム５（５Ａ、５Ｂ）の外周から外れるのを防止するために、外側へと僅かに突出した保持鍔部（フランジ５３及び規制板５４）が形成される。
【００３４】
つまり、ロープ掛けアーム５（５Ａ、５Ｂ）が互いに離間するように外方に揺動して踏み板４上へと位置された時、踏み板４側に位置するロープ掛けアーム５（５Ａ、５Ｂ）の縁部（即ち、外側縁部）には、脚部連結部５２の近傍領域から連結部５２の外周囲に亘ってフランジ５３が形成される。また、ロープ掛けアーム５（５Ａ、５Ｂ）の連結部５２のほぼ中央部には、このフランジ５３と対向して、連結部中央部に沿って所定の距離に亘って外方へと僅かに突出して規制部５４が形成される。フランジ５３は、板金加工によりロープ掛けアーム５（５Ａ、５Ｂ）に対して直角に外方へと突出して形成される。一方、規制部５４は、板金加工によりロープ掛けアームに対して９０度より大きい角度α（図３（ａ）参照）、例えば、１２０度程度の角度にて外方へと突出して形成される。
【００３５】
尚、図３（ａ）にて理解されるように、本実施例にて、ロープ掛けアーム５（５Ａ、５Ｂ）の揺動支持軸５０の位置は、踏み板４より上方へと移動した位置にあり両ロープ掛けアーム５Ａ、５Ｂを互いに離れる方向へと、即ち、外方へと揺動させて踏み板４上へと位置させたとき、両ロープ掛けアーム５Ａ、５Ｂは、それぞれ、支持軸５０から踏み板４の長手方向両端側へと低くなるように構成されている。つまり、両ロープ掛けアーム５Ａ、５Ｂは、 両ロープ掛けアーム５Ａ、５Ｂのロープわさ部７２が巻回される連結部５２の位置と、支持軸５０とを結ぶ仮想線５５Ａ、５５Ｂが山形形状をなすように位置決めされる。
【００３６】
従って、両ロープ掛けアーム５Ａ、５Ｂの外周に掛け回したロープわさ部７２は、ロープ掛けアーム５Ａ、５Ｂの揺動支持軸５０位置より下方に位置することとなる。
【００３７】
つまり、図１、図２、図３を参照するとより良く理解されるように、各ロープ掛けアーム５Ａ、５Ｂは、内方には互いに近づくように９０度以上回動し得るが、その反対方向には、即ち、外方向には二つのロープ掛けアーム５Ａ、５Ｂのなす角度が１８０°より更に２°〜１０°程度回動した山形状態にて停止するように形成される。つまり、各ロープ掛けアーム５Ａ、５Ｂは、図３（ａ）にて、支持軸５０とロープわさ部７２とを結ぶ両ロープ掛けアーム５Ａ、５Ｂの仮想線５５Ａ、５５Ｂのなす角度θが１７０°〜１７８°となる山形形状の状態となり、それ以上は回動しないようにされる。
【００３８】
本実施例では、図２に示すように、踏み板４は、踏み板４の長手方向端部近傍領域両端部に、山形形状をなす両ロープ掛けアーム５Ａ、５Ｂが更に回転して踏み板４の面より下方へと移動するのを阻止するための規制部材であるフランジ４２を有する。このため、各ロープ掛けアーム５Ａ、５Ｂは、それぞれの連結部５２が、各ロープ掛けアーム５Ａ、５Ｂのなす角度θが１８０°より更に２°〜１０°程度回動した状態にてフランジ４２に当接して停止する。本実施例では、フランジ４２は、踏み板４の延長部とされるがこれに限定されるものではない。フランジ４２を形成することによって、ロープ掛けアーム５Ａ、５Ｂの踏み板４より下方への移動が阻止される。
【００３９】
図３に示すように、踏み板４の長手方向の寸法（Ｌ１）は、二つのロープ掛けアーム５Ａ、５Ｂを互いに離れる外方向へと略水平状態に倒した場合、踏み板４の長手方向端部４３（４３Ａ、４３Ｂ）は、ロープ掛けアームの５Ａ、５Ｂ連結部５２間の寸法Ｌ２より内側に位置する寸法とされる（Ｌ１＜Ｌ２）。
【００４０】
本実施例では、踏み板４の長手方向両端部４３（４３Ａ、４３Ｂ）は、僅かに下方へと曲げられ、突起部４４が形成されている。これは、詳しくは後述するように、載置台３に載置された踏み板組立体２が、載置台３から長手方向に移動した場合、踏み板４の突起部４４が載置台３の両側板３２、３３（図４参照）に係止し、それ以上の移動を阻止するためである。
【００４１】
また、本実施例によると、踏み板４には円形の開口部４５が形成され、この開口部４５を覆って、網部材４６が取り付けられている。開口部４５は、その直径が５ｃｍ〜８ｃｍ程度とすることができ、網部材４６は、０．５ｃｍ×０．５ｃｍ〜２ｃｍ×２ｃｍ程度の目部（メッシュ）を有することができるが、これに限定されるものではない。この構成により、踏み板４の踏み板重量を軽減し得ると共に、動物の足が踏み板組立体２の踏み板４を踏んだとき、滑りをなくし、踏み板４を確実に踏み付けることができる。
【００４２】
（載置台）
上記構成の踏み板組立体２は、図１に示すように、載置台３に載置される。
【００４３】
図５に示すように、載置台３は、上方が開口した矩形の箱部材とされる。すなわち、載置台３は、矩形状をした底板３１と、底板３１の長手方向両端にて底板３１の上方へと垂直に形成した左、右側板３２、３３と、底板３１の幅方向両端にて底板３１の上方へと垂直に形成した前、後側板３４、３５と、を有する。
【００４４】
本実施例では、アルミ材などの軽量金属板を板金加工により折り曲げることによって作製される。長手方向両端部に形成した側板３２、３３の高さＨ１が、幅方向両端部に形成した側板３４、３５の高さＨより短くされる。これは、詳しくは後述するように、載置台３に載置された踏み板組立体２が、載置台３から幅方向に移動するのを阻止するためであり、その差（Ｈ−Ｈ１）は、例えば、５〜１５ｍｍ程度とされる。
【００４５】
底板３１には略直径が５〜１０ｍｍ程度の円形の開口部（小穴）３６を複数個、本実施例では底板３１の略中央部に２個、形成するのが好ましい。これは、重量を軽減するためであり、また、獣道に罠を仕掛けた時、獣道等の環境変動を最小限度に抑えるためである。場合によっては、開口部３６は、載置台３を固定するために使用することも可能である。
【００４６】
ここで、踏み板組立体２の長手方向に直交する幅方向の最大の長さ、即ち、本実施例では、図３（ｂ）に示すように、踏み板４の幅方向両端部に設けたフランジ４２、４２間の距離Ｗ１は、載置台３の幅方向両端の前、後側板３４、３５の内側間の距離Ｗ０（図５参照）より短く（Ｗ１＜Ｗ０）とされ、踏み板組立体２は、載置台３の幅方向両端の前、後側板３４、３５の間に載置される。
【００４７】
また、踏み板組立体２の踏み板４の長手方向の長さ（Ｌ１）（図３（ｂ））は、載置台３の長手方向両端の左、右側板３２、３３の内側間の距離（Ｌ０）（図５）より短く（Ｌ１＜Ｌ０）され、従って、両ロープ掛けアーム５Ａ、５Ｂが外方へと揺動されると、両ロープ掛けアーム５Ａ、５Ｂの連結部５２近傍の脚部５１の一端５１ｂ近傍領域が載置台３の長手方向両端の左、右側板３２、３３の上端縁に載置されることとなる（図４参照）。
【００４８】
つまり、図４に示すように、載置台３の長手方向内側寸法（Ｌ０）は、踏み板４の長手方向の長さ（Ｌ１）より長くされ、且つ、二つのロープ掛けアーム５Ａ、５Ｂを互いに離れる外方向へと外方に倒し、山形形状とされる略水平状態に位置させたとき、二つのロープ掛けアーム５Ａ、５Ｂの両連結部５２、５２間の長さ（Ｌ２）より短くされる。
【００４９】
つまり、載置台３の長手方向両側板３２、３３は、それぞれ、踏み板４の長手方向端部４３Ａ、４３Ｂとロープ掛けアーム５Ａ、５Ｂの連結部５２との間に位置させる。また、載置台３の幅方向内側寸法（Ｗ０）は、踏み板４の幅方向の長さより長く、且つ、踏み板４の長手方向両端部に位置するフランジ４２及び二つのロープ掛けアーム５Ａ、５Ｂの幅方向寸法より長くされる。
【００５０】
このように、載置台３の形状寸法は、水平状態にある二つのロープ掛けアーム５Ａ、５Ｂが互いに近づくように内方へと揺動され立ち上がった状態となった場合には、踏み板組立体２全体が載置台３の内側に落下し得るような寸法形状とされる。
【００５１】
また、載置台３の少なくとも幅方向手前側の側板３４には、略中央部に位置して、即ち、二つのロープ掛けアーム５Ａ、５Ｂの支持軸５０、５０の位置に対応して、後述するように、二つのロープ掛けアーム５Ａ、５Ｂにロープわさ部７２を巻き付けた後のワイヤーロープ張りばね７３のリング部７１部分の逃げを作るために、所定の幅及び深さにて切欠き部３７が形成される。通常、幅ｗが８ｃｍ、深さｈが１．５ｃｍ程度とされる。
【００５２】
（動物用罠のセット及び作動）
次に、図１、図２を参照して、先ず、本実施例の動物用罠１のセットの仕方（組立方法）について説明する。
【００５３】
動物用罠１は、図１、図２に示すように、踏み板組立体２が組立てられる。そのため、先ず、各ロープ掛けアーム５Ａ、５Ｂの連結部５２が、それぞれ、踏み板４のフランジ４２に載置されるまで、二つのロープ掛けアーム５Ａ、５Ｂをそれぞれ外方向へと揺動して略水平状態とし、互いに山形形状をなすように位置させる。
【００５４】
この状態にて、捕獲用鋼索（ワイヤーロープ）７０の先端に設けられたリング部７１を利用して形成された先端わさ（輪差）部７２が、互いに山形形状に配置されたロープ掛けアーム５Ａ、５Ｂの外周囲を回って、踏み板組立体２の外周囲に設置される。この時、ロープ先端わさ部７２は、ロープ掛けアーム５Ａ、５Ｂの周辺フランジ５３の上に位置し、且つ、二つのロープ掛けアーム５Ａ、５Ｂの連結部５２ではフランジ５３と規制板５４の間に位置するようにして設置される。
【００５５】
このような状態にて、踏み板組立体２の外周囲に先端わさ部７２を巻回し、ワイヤーロープ張りばね７３を所定位置まで圧縮する。つまり、先端わさ部７２に隣接して設けられたワイヤーロープ張りばね７３が、図１に一点鎖線にて示すように、所定位置まで圧縮され、その状態にストッパ７４で固定される。
【００５６】
ワイヤーロープ張りばね７３は、二重ばね７３ａ、７３ｂの構造とするのが好ましい。
【００５７】
従って、先端わさ部７２が、ワイヤーロープ張りばね７３の圧縮力により踏み板組立体２の外周囲に所定の巻き付け力にて取り付けられる。それにより、踏み板４に設置された両ロープ掛けアーム５Ａ、５Ｂは、図３にて、角度θが１７０°〜１７８°となる山形形状の状態に維持される。
【００５８】
このように、本実施例によれば、踏み板組立体２は、各ロープ掛けアーム５Ａ、５Ｂのなす角度θが１８０°より更に２°〜１０°程度回動した山形形状の状態にワイヤーロープ張りばね７３の圧縮力により付勢されて停止しているために、踏み板組立体２の外周囲から先端わさ部７２が上方へと移動して外れることはない。また、先端わさ部７２の下方或いは上方への移動は、踏み板４に設けたフランジ５３及び上述のようにロープ掛けアーム５Ａ、５Ｂの連結部５２の規制板５４により阻止される。
【００５９】
つまり、上述したように、ロープ掛けアーム５Ａ、５Ｂの外周に掛け回したロープ先端わさ部７２は、全体として、ロープ掛けアーム５Ａ、５Ｂの揺動支持軸５０の位置より下方に設置される。また、先端わさ部７２は、二つのロープ掛けアーム５Ａ、５Ｂの連結部５２においては、フランジ５３と規制板５４の間に位置するようにして設置され、また、連結部５２の上規制板５４が僅かに外方へと曲げられていることにより、先端わさ部５２が上方から抜け出し難くなっている。そのため、ロープ掛けアーム５Ａ、５Ｂの外周に掛け回したロープ先端わさ部７２により、水平状態に配置されているロープ掛けアーム５Ａ、５Ｂが上方内方へと揺動することはない。
【００６０】
図２に示すように、踏み板組立体２の外周囲にワイヤーロープ７０の先端わさ部７２を設置し、ワイヤーロープ張りばね７３が所定位置まで圧縮された踏み板組立体２は、図１に示すように、踏み板組立体載置台３に載置される。
【００６１】
このようにして載置台３に載置された踏み板組立体２は、載置台３の長手方向への移動は、上述したように、踏み板４の長手方向両端に設けた突起部４４が側板３２、３３に係合することにより、長手方向への移動が阻止され、また、載置台３の幅方向への移動は、踏み板４の幅方向側部フランジ４２が、載置台３の側板３４、３５に係合することにより規制される。
【００６２】
上記罠１の仕掛けの準備作業が終わると、罠１を所定の場所に設置する。
【００６３】
ワイヤーロープ７０の他端は、当業者には周知の固定具７５（図１）を使用して、立ち木などに固定する。また、踏み板組立体２などには、直接に、或いは、ビニールシートなどをかけた後、その上から土、落ち葉などをかけて隠す。
【００６４】
本考案の動物用罠１は、全体形状が、図１にて、長さ（Ｌ）が１５ｃｍ〜３０ｃｍ（本実施例では２３ｃｍ）、幅（Ｗ）が１０ｃｍ〜２０ｃｍ程度（本実施例では１２ｃｍ）とされ、ほぼ大人の靴の大きさ程度、或いは、それ以下にまで小さくすることができ、また、厚さ（Ｈ）も５ｃｍ以下（本実施例では３ｃｍ）とすることができる。従って、可搬性に優れていると共に、罠を仕掛けるに際して、必ずしも、載置台３及び踏み板組立体２などを土中に埋める必要はなく、仕掛けのための作業が極めて容易である。また、仕掛ける場所の環境をほぼ現状のままに維持した状態で罠を設置することができる。
【００６５】
次に、図６を参照して、上述のように構成される本実施例の動物用罠１の作動について説明する。
【００６６】
図６（ａ）は、図１と同様に、本考案の動物用罠１を組立て仕掛けた状態を示す。この状態にて、図６（ｂ）に示すように、動物の脚部Ｌが、踏み板４を踏むと、踏み板４が下方へと押し下げられ、載置台３内へと落し込まれる。これにより、少なくとも一方の、場合によっては両方のロープ掛けアーム５Ａ、５Ｂが支持軸５０の回りに、踏み板４に対して相対的に内方へと回転する。
【００６７】
ワイヤーロープ先端わさ部７２には、ワイヤーロープ張りばね７３により常にその大きさが小さくなるように圧縮力が付勢されており、従って、ロープ掛けアーム５Ａ、５Ｂには、図６（ｃ）に示すように、ワイヤーロープ先端わさ部７２からロープ掛けアーム５Ａ、５Ｂが内方（矢印Ｂ方向）へと移動する力が加速度的に付加される。
【００６８】
これにより、ワイヤーロープ先端わさ部７２は、踏み板組立体２の上方へと移動し、ロープ掛けアーム５Ａ、５Ｂが矢印Ｂの方へと回動すると、踏み板組立体２から上方へと抜け出る。ワイヤーロープ先端わさ部７２は、図６（ｄ）に示すように、ワイヤーロープ張りばね７３により絞り込まれ、踏み板４を踏んだ動物の脚部Ｌを瞬時に括り付ける。
【００６９】
本実施例の上記構成とされる動物用罠１は、装置全体が小型であり、且つ、薄型とされ、罠を仕掛けるための設置作業が容易であり、狭い場所にも、現状を出来るだけ維持した状態で設置することができる。また、本実施例の動物用罠１は、可搬性に優れ、しかも、罠の操作が簡単であり、短時間にて罠設置作業が可能である。
【００７０】
実施例２
図７〜図９に本考案の動物用罠１の他の実施例の全体構成を示す。本実施例において、動物用罠１は、実施例１と同様の構成とされるが、ただ、踏み板組立体２の具体的構造において異なる。
【００７１】
従って、以下には、異なる構造部について説明し、実施例と同じ構造及び機能をなす部材には、同じ参照番号を付し、実施例１の説明を援用し、詳しい説明は省略する。
【００７２】
本実施例にて、実施例１と異なる構造部は、踏み板組立体２の踏み板４の構造にある。
【００７３】
つまり、実施例１では、図１、図２に示すように、踏み板４の幅方向の両側部には、板金加工により踏み板４の両側部を上方へと折り曲げて基台部４０を形成し、この基台部４０より上方へと一体に突出して一対の支持板部４１（４１Ａ、４１Ｂ；４１Ａ、４１Ｂ）が設けられ、この支持板部４１に両ロープ掛けアーム５Ａ、５Ｂが支持軸５０に揺動自在に取り付けられた。これに対して、本実施例では、基台部４０が支持板部であり、この基台部４０に両ロープ掛けアーム５Ａ、５Ｂが支持軸５０にて揺動自在に取付けられている。
【００７４】
また、実施例１では、踏み板４には円形の開口部４５が形成され、この開口部４５を覆って、網部材４６が取り付けられている。
【００７５】
これに対して、本実施例では、踏み板４の上表面に、表面が凹凸形状とされた凹凸部材４６Ａを貼り付け、この凹凸部材４６Ａ及び踏み板４を貫通して、略中央部に二つの小さな開口部４５Ａが形成されている。凹凸部材４６Ａとしては、例えば、住友スリーエム株式会社より販売されているすべり止めテープなどを使用することができ、開口部４５Ａの直径としては、限定されるものではないが、２０〜３０ｍｍ程度とし得る。
【００７６】
更に、実施例１では、両ロープ掛けアーム５Ａ、５Ｂには、ロープ７０の先端わさ部７２が掛け回されるロープ掛けアーム５（５Ａ、５Ｂ）の外周囲にはロープ先端わさ部７２を一時的に確実に保持するために、外側へと僅かに突出した保持鍔部（フランジ５３及び規制板５４）が形成された。つまり、ロープ掛けアーム５（５Ａ、５Ｂ）が互いに離間するように外方に揺動して踏み板４上へと位置された時、踏み板４側に位置するロープ掛けアーム５（５Ａ、５Ｂ）の縁部（即ち、外側縁部）には、脚部連結部５２の近傍領域から連結部５２の外周囲に亘ってフランジ５３が形成され、また、ロープ掛けアーム５（５Ａ、５Ｂ）の連結部５２のほぼ中央部には、このフランジ５３と対向して、連結部中央部に沿って所定の距離に亘って外方へと僅かに突出して規制板５４が形成された。
【００７７】
これに対して、本実施例では、図９に示すように、両ロープ掛けアーム５Ａ、５Ｂの連結部５２を、断面にて、外ががに開口した凹形状をなすように形成する。凹形状は、先端わさ部７２のロープを受容可能な程度の湾曲とされ。この凹形状連結部５２に先端わさ部７２が嵌り込むことによりロープの上下方向への移動を一時的に規制する。
【００７８】
その他の構成は、実施例２においても実施例１と同様に構成されており、実施例１と同様の作動をなす。図１０（ａ）〜（ｄ）を参照して簡単に説明する。
【００７９】
図１０（ａ）は、図６と同様に、本考案の動物用罠１を組立て仕掛けた状態を示す。この状態にて、図１０（ｂ）に示すように、動物の脚部Ｌが、踏み板４を踏むと、踏み板４が下方へと押し下げられ、載置台３内へと落し込まれる。これにより、少なくとも一方の、場合によっては両方のロープ掛けアーム５Ａ、５Ｂが支持軸５０の回りに、踏み板４に対して相対的に内方へと回転する。
【００８０】
ワイヤーロープ先端わさ部７２には、ワイヤーロープ張りばね７３により常にその大きさが小さくなるように圧縮力が付勢されており、従って、ロープ掛けアーム５Ａ、５Ｂには、図１０（ｃ）に示すように、ワイヤーロープ先端わさ部７２からロープ掛けアーム５Ａ、５Ｂが内方（矢印Ｂ方向）へと移動する力が加速度的に付加される。
【００８１】
これにより、ワイヤーロープ先端わさ部７２は、踏み板組立体２の上方へと移動し、ロープ掛けアーム５Ａ、５Ｂが矢印Ｂの方へと回動すると、踏み板組立体２から上方へと抜け出る。ワイヤーロープ先端わさ部７２は、図１０（ｄ）に示すように、ワイヤーロープ張りばね７３により絞り込まれ、踏み板４を踏んだ動物の脚部Ｌを瞬時に括り付ける。
【００８２】
本実施例の動物用罠も、実施例１と同様の作用効果を奏し得る。
【符号の説明】
【００８３】
１                  動物用罠
２                  踏み板組立体
３                  踏み板組立体載置台
４                  踏み板
５（５Ａ、５Ｂ）    ロープ掛けアーム
５０                支持軸
７０                捕獲用ワイヤーロープ
７１                リング部
７２                ワイヤーロープ先端わさ部
７３                ワイヤーロープ張りばね
【図１】
0003165447.tif 000003
【図２】
0003165447.tif 000004
【図３】
0003165447.tif 000005
【図４】
0003165447.tif 000006
【図５】
0003165447.tif 000007
【図６】
0003165447.tif 000008
【図７】
0003165447.tif 000009
【図８】
0003165447.tif 000010
【図９】
0003165447.tif 000011
【図１０】
0003165447.tif 000012
【図１１】
0003165447.tif 000013
【図１２】
0003165447.tif 000014
【図１３】
0003165447.tif 000015